【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
ユーザが訪問した訪問先を特定する訪問先特定部と、
ユーザからメッセージが入力されるメッセージ入力手段と、
前記訪問先特定部によって特定した訪問先のエリアデータに関連付けて、前記メッセージ入力手段を通じて入力されたユーザのメッセージを含み、かつ、訪問したことを示す訪問情報を訪問情報記憶部に記憶させる記憶制御部と、
ユーザが入力したキーワードを前記メッセージから検索し、その検索の結果抽出されたメッセージに関連付けられた訪問先のエリアデータに基づくリストを作成する訪問先検索部と、
前記リストを表示部に表示させる表示制御部と
を備えることを特徴とする表示制御装置。
【請求項２】
前記メッセージ入力手段は、文字入力手段であることを特徴とする請求項１記載の表示制御装置。
【請求項３】
前記文字入力手段は、前記表示部に表示された文字への接触を検知するタッチパネルであることを特徴とする請求項２記載の表示制御装置。
【請求項４】
前記メッセージ入力手段は、ユーザの音声が入力される音声入力部であることを特徴とする請求項１記載の表示制御装置。
【請求項５】
前記訪問情報は、訪問したときの日時情報を含み、
前記訪問先検索部は、ユーザが入力したキーワードを前記日時情報から検索し、その検索の結果抽出された日時情報に関連付けられた訪問先のエリアデータに基づくリストを作成することを特徴とする請求項１〜４のいずれか１項に記載の表示制御装置。
【請求項６】
前記表示制御部は、搭乗者が選択した地図上に表示されている施設に対応するエリアデータに訪問情報が関連付けられている場合、前記エリアデータに関連付けられた前記訪問情報として記憶されている前記日時情報もしくは前記メッセージのいずれか一方または両方を前記表示部に表示させることを特徴とする請求項５記載の表示制御装置。
【請求項７】
前記訪問情報記憶部は着脱可能な記憶媒体であることを特徴とする請求項１〜６のいずれか１項に記載の表示制御装置。
【請求項８】
前記訪問先検索部は、前記キーワードと一致するメッセージを抽出することを特徴とする請求項１〜７のいずれか１項に表示制御装置。
【請求項９】
前記リストは、訪問先のエリアデータに対応する施設のリストであることを特徴とする請求項１〜８のいずれか１項に表示制御装置。
【請求項１０】
搭乗者が有する携帯端末から前記携帯端末の位置情報を取得する携帯位置取得部をさらに備え、
前記訪問先特定部は、前記取得した携帯端末の位置情報に基づいて訪問先を特定することを特徴とする請求項１〜９のいずれか１項に記載の表示制御装置。
【請求項１１】
前記携帯位置取得部は、Ｂｌｕｅｔｏｏｔｈ、Ｚｉｇｂｅｅ、またはＷｉＭａｘを通じて前記携帯端末の位置情報を取得することを特徴とする請求項１０記載の表示制御装置。
【請求項１２】
前記訪問先特定部は、ユーザの入力に応じて訪問先を特定することを特徴とする請求項１〜１１のいずれか１項に記載の表示制御装置。
【請求項１３】
前記表示制御装置は車両に搭載される表示制御装置であり、
前記表示制御装置の位置情報を取得する位置取得部と、
前記車両が任意の位置に停車してからの経過時間に基づいて、前記車両の停車状態を判断する停車判断部と、
前記停車判断部が停車状態であると判断した場合、停車した位置の位置情報に基づいて、現在位置から所定範囲内に存在する訪問先候補の情報を示すエリアデータから、１または複数の訪問先候補を導出する訪問先候補導出部と
を備え、
前記訪問先特定部は、ユーザの入力に応じて、前記１または複数の訪問先候補の中から前記訪問先を特定することを特徴とする請求項１〜１２のいずれか１項に記載の表示制御装置。
【請求項１４】
請求項１〜１３のいずれか１項に記載の表示制御装置を備えるナビゲーション装置。
【請求項１５】
訪問先特定部が、ユーザが訪問した訪問先を特定する訪問先特定ステップと、
記憶制御部が、前記訪問先特定ステップにおいて特定した訪問先のエリアデータに関連付けて、ユーザから入力されたメッセージを含み、かつ、訪問したことを示す訪問情報を訪問情報記憶部に記憶させる記憶制御ステップと、
訪問先検索部が、ユーザが入力したキーワードを前記メッセージから検索し、その検索の結果抽出されたメッセージに関連付けられた訪問先のエリアデータに基づくリストを作成する訪問先検索ステップと、
表示制御部が、前記リストを表示部に表示させる表示制御ステップと
を有することを特徴とする表示制御方法。
【請求項１６】
コンピュータに、
ユーザが訪問した訪問先を特定する訪問先特定ステップと、
前記訪問先特定ステップにおいて特定した訪問先のエリアデータに関連付けて、ユーザから入力されたメッセージを含み、かつ、訪問したことを示す訪問情報を訪問情報記憶部に記憶させる記憶制御ステップと、
ユーザが入力したキーワードを前記メッセージから検索し、その検索の結果抽出されたメッセージに関連付けられた訪問先のエリアデータに基づくリストを作成する訪問先検索ステップと、
前記リストを表示部に表示させる表示制御ステップと
を実行させることを特徴とする表示制御プログラム。
【手続補正２】
【補正対象書類名】明細書
【補正対象項目名】発明の名称
【補正方法】変更
【補正の内容】
【発明の名称】ナビゲーション装置、表示制御装置、表示制御方法、および表示制御プログラム
【手続補正３】
【補正対象書類名】明細書
【補正対象項目名】０００１
【補正方法】変更
【補正の内容】
【０００１】
本発明は、ナビゲーション装置、表示制御装置、表示制御方法、および表示制御プログラムに関する。
【手続補正４】
【補正対象書類名】明細書
【補正対象項目名】０００７
【補正方法】変更
【補正の内容】
【０００７】
本発明は、このような課題に鑑み、利便性を高めることが可能なナビゲーション装置、表示制御装置、表示制御方法、および表示制御プログラムを提供することを目的としている。
【手続補正５】
【補正対象書類名】明細書
【補正対象項目名】０００８
【補正方法】変更
【補正の内容】
【０００８】
上記課題を解決するために、ユーザが訪問した訪問先を特定する訪問先特定部と、ユーザからメッセージが入力されるメッセージ入力手段と、前記訪問先特定部によって特定した訪問先のエリアデータに関連付けて、前記メッセージ入力手段を通じて入力されたユーザのメッセージを含み、かつ、訪問したことを示す訪問情報を訪問情報記憶部に記憶させる記憶制御部と、ユーザが入力したキーワードを前記メッセージから検索し、その検索の結果抽出されたメッセージに関連付けられた訪問先のエリアデータに基づくリストを作成する訪問先検索部と、前記リストを表示部に表示させる表示制御部とを備えることを特徴とする表示制御装置を提供する。
【手続補正６】
【補正対象書類名】明細書
【補正対象項目名】０００９
【補正方法】変更
【補正の内容】
【０００９】
また、訪問先特定部が、ユーザが訪問した訪問先を特定する訪問先特定ステップと、記憶制御部が、前記訪問先特定ステップにおいて特定した訪問先のエリアデータに関連付けて、ユーザから入力されたメッセージを含み、かつ、訪問したことを示す訪問情報を訪問情報記憶部に記憶させる記憶制御ステップと、訪問先検索部が、ユーザが入力したキーワードを前記メッセージから検索し、その検索の結果抽出されたメッセージに関連付けられた訪問先のエリアデータに基づくリストを作成する訪問先検索ステップと、表示制御部が、前記リストを表示部に表示させる表示制御ステップとを有することを特徴とする表示制御方法を提供する。
【手続補正７】
【補正対象書類名】明細書
【補正対象項目名】００１０
【補正方法】変更
【補正の内容】
【００１０】
また、コンピュータに、ユーザが訪問した訪問先を特定する訪問先特定ステップと、前記訪問先特定ステップにおいて特定した訪問先のエリアデータに関連付けて、ユーザから入力されたメッセージを含み、かつ、訪問したことを示す訪問情報を訪問情報記憶部に記憶させる記憶制御ステップと、ユーザが入力したキーワードを前記メッセージから検索し、その検索の結果抽出されたメッセージに関連付けられた訪問先のエリアデータに基づくリストを作成する訪問先検索ステップと、前記リストを表示部に表示させる表示制御ステップを実行させることを特徴とする表示制御プログラムを提供する。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００８８
【補正方法】変更
【補正の内容】
【００８８】
なお、本明細書のナビゲーション方法における各工程は、必ずしもフローチャートとして記載された順序に沿って時系列に処理する必要はなく、並列的あるいはサブルーチンによる処理を含んでもよい。
本発明のナビゲーション装置（１００）の代表的な構成は、車両に搭載されるナビゲーション装置において、予め地図データを記憶している地図記憶部（２３２）と、車両の位置情報を取得する位置取得部（２０２）と、表示部（２０４）と、地図データに基づいた地図と、取得した位置情報に基づいた車両の位置を表示部に表示させる表示制御部と、車両が任意の位置に停車してからの経過時間が所定時間以上であった場合に停車状態であると判断する停車判断部（２５０）と、停車判断部が停車状態であると判断した場合、停車した位置の位置情報に基づいて、現在位置から所定範囲内に存在する訪問先候補の情報を示すエリアデータから、搭乗者の１または複数の訪問先候補を導出する訪問先候補導出部（２５２）と、搭乗者の入力に応じて、１または複数の訪問先候補から搭乗者が訪問した訪問先を特定する訪問先特定部（２５４）と、訪問先特定部によって特定した訪問先のエリアデータに関連付けて、訪問したことを示す訪問情報を訪問情報記憶部（２３６）に記憶させる記憶制御部とを備えることを特徴とする。
かかる構成により、搭乗者は何ら面倒な操作を伴わずに、訪問したことを示す訪問情報を残すことができる。そして、目的を等しくする訪問先を地図データ上で調べる際、訪問情報を参照することで、目的の施設等を迅速に見つけることができ、逆に期待外れであった施設等を避けて訪問先を決定することもできる。さらに、信号待ちや、自動販売機に寄っただけのような、記録に残す必要の無い短い時間の停車を排除することで、より有意な訪問先に絞って記憶させることが可能となる。
表示制御部は、１または複数の訪問先候補を表示部に表示させ、表示部に表示されたまたは複数の訪問先候補に対応する位置への接触を検知するタッチパネル（２１０）をさらに備え、訪問先特定部は、タッチパネルを通じた搭乗者の接触入力によって訪問先を特定してもよい。
かかる構成により、搭乗者は表示部に表示された訪問先候補のうち、訪問先の項目に単に触れるだけで、訪問したことを示す訪問情報を訪問情報記憶部に記憶させることができ、容易にかつ短時間で操作を完了し、運転を再開することができる。
表示部に表示された文字への接触を検知するタッチパネルをさらに備え、記憶制御部は、さらに、訪問したときの日時情報と、タッチパネルを通じて文字入力された搭乗者のメッセージとを訪問情報として訪問情報記憶部に記憶させ、表示制御部は、搭乗者が選択した地図上に表示されている施設に対応するエリアデータに訪問情報が関連付けられている場合、エリアデータに関連付けられた訪問情報として記憶されている日時情報もしくはメッセージのいずれか一方または両方を表示部に表示させてもよい。
本発明では、訪問情報として、訪問したときの日時情報やタッチパネルを通じて文字入力されたメッセージも記録させる。さらに、搭乗者の選択によって、記録した日時情報やメッセージを表示させる。かかる構成により、搭乗者は、訪問した事実のみならず、訪問したときの日時情報や、任意のメッセージを残すことができ、訪問先についてより多くの情報を蓄積することができる。例えば、飲食店であれば味の良否を記録しておき、後日、外食をする際に参照することが可能となる。
１または複数の訪問先候補を特定するための質問を音声で出力する音声出力部（２０６）と、搭乗者の音声を入力する音声入力部（２１２）と、をさらに備え、訪問先特定部は、質問に対する搭乗者の返答に基づいて訪問先を特定してもよい。
訪問先特定部が訪問先を特定できるまで、音声制御部は訪問先についての複数の質問を、繰り返し音声出力部に出力させる。かかる構成により、搭乗者は煩雑な手作業と表示部の視認を行わずに口頭で返答（回答）するだけで訪問先を特定でき、訪問情報を記録させながら発車作業を行うこともできる。従って、より少ない負担で訪問情報を記憶させることができる。
訪問先特定部は、訪問先候補が複数存在する場合、現在時刻に基づいて訪問先候補に優先度を設定し、優先度の高い訪問先候補についての質問を優先的に音声出力部に出力させる音声制御部をさらに備えてもよい。
例えば、昼食の時間帯は、昼に営業している可能性の高い飲食店を訪問先候補の上位に位置づけ、夕方の時間帯は、スポーツジム等を訪問先候補の上位に位置づけることで、早い段階で可能性の高い訪問先に訪問先候補を絞る。かかる構成により、より少ない質問および返答のやり取りで、訪問先を特定でき、搭乗者は、より少ない負担で訪問情報を記憶させることができる。
訪問先特定部は、訪問先候補が複数存在する場合、位置取得部が取得した位置情報に基づいて算出した停車した位置への進入方向、および停車時点の車両の向きに応じて、訪問先候補に優先度を設定し、優先度の高い訪問先候補についての質問を優先的に音声出力部に出力させる音声制御部をさらに備えてもよい。
例えば、停車までに通り過ぎてしまった施設は、通り過ぎる前の施設よりも搭乗者の訪問先である可能性は低い。また、進入方向の先の施設は、訪問先である可能性が高くなる。本発明では、進入方向および車両の向きから、訪問先候補に優先度を設定し、優先度が高い、すなわち搭乗者が訪問した可能性が高い施設の訪問先候補から、訪問したかどうかを確認する。かかる構成により、より少ない質問および返答のやり取りで、訪問先を特定でき、搭乗者は、より少ない負担で訪問情報を記憶させることができる。
訪問先特定部は、エリアデータに含まれるジャンル情報（２４０）に対応付けられた複数の質問から訪問先のジャンル情報に応じた質問を選択し、音声制御部は、選択された質問を音声出力部に出力させてもよい。
かかる構成により、例えば、訪問先候補に飲食店が挙がっていた場合、音声制御部は音声出力部に、食事の感想等を尋ねる質問を出力させることで、搭乗者が食事の感想を応えると、訪問先が飲食店であったことを特定できる。また、訪問先候補がボーリング場であれば、スコアについての質問を出力させる等、訪問先候補のジャンル情報に応じた質問を行うことで、より確実に訪問先を特定することができる。
当該ナビゲーション装置は、搭乗者の音声を入力する音声入力部と、音声を出力する音声出力部と、をさらに備え、記憶制御部は、さらに、訪問したときの日時情報と、音声で入力された搭乗者のメッセージとを訪問情報として訪問情報記憶部に記憶させ、搭乗者が選択した地図上の施設に対応するエリアデータに訪問情報が関連付けられている場合、エリアデータに関連付けられた訪問情報として記憶されている日時情報もしくはメッセージのいずれか一方または両方を音声出力部に出力させる音声制御部をさらに備えてもよい。
本発明では、訪問情報として、訪問したときの日時情報や音声で入力されたメッセージも記録する。さらに、搭乗者の選択によって、記録した日時情報やメッセージを表示させることができる。かかる構成により、搭乗者は、訪問した事実のみならず、訪問したときの日時情報や、任意のメッセージを残すことができ、訪問先についてより多くの情報を蓄積させることができる。例えば、宿泊施設であれば、寝具等に関する感想を記憶させておき、後日、宿泊施設を選ぶ際に参照することが可能となる。
搭乗者が入力したキーワードを日時情報またはメッセージから検索する訪問先検索部（２５６）をさらに備え、表示制御部は、キーワードと一致する日時情報またはメッセージに関連付けられた訪問先のエリアデータを表示部に表示させてもよい。
かかる構成により、搭乗者は、予め訪問した施設等について印象に残った料理名等をメッセージとして記憶させておき、後日、その位置や施設名等の記憶が曖昧になっても、その料理名等をキーワードとして検索することで、訪問先のエリアデータを抽出して表示させることができる。搭乗者は、そのエリアデータを選択することで、訪問先の位置や施設名等を特定でき、訪問した訪問先をより確実に探し出すことができる。
訪問情報記憶部は着脱可能な記憶媒体であってもよい。かかる構成により、搭乗者は、訪問情報を当該ナビゲーション装置から簡易に取り出し、例えばパーソナルコンピュータ等に接続して、インターネット上のブログを更新する際のコンテンツ等に利用することができる。
表示制御部は、表示部に表示されている地図上の施設に対応したエリアデータに訪問情報が関連付けられている場合、地図上の施設の色彩、模様または形状を変化させてもよい。かかる構成により、搭乗者は、過去に訪問した訪問先であるかを、地図上で容易に視認することができ、目的とする情報に早期に到達することが可能となる。
停車判断部は、経過時間が所定時間以上であっても停車状態と判断しない１または複数の位置情報を示した停車排除リストを用いて停車状態を判断してもよい。
かかる構成を採用しなかった場合、自宅の駐車場等に自家用車を止める等、訪問先が記録させる必要がない場合であっても、訪問先特定部が訪問先を特定しようとしてしまうためその情報の削除等、煩わしい作業が生じる。本発明において、搭乗者は、予め、自宅など、訪問先を記録させておく必要がない位置を、停車排除リストに登録させておくことで、訪問先の不要な記録作業の為に、搭乗者が煩わしい思いをする事態を回避することができる。
搭乗者が有する携帯端末（２９２）から携帯端末の位置情報を取得する携帯位置取得部（２１８）をさらに備え、訪問先特定部は、取得した携帯端末の位置情報に基づいて訪問先を特定してもよい。
かかる構成により、搭乗者が降車した後の位置情報を携帯端末から取得し、その軌跡を計算できるため、より正確に訪問先を特定することができる。
携帯位置取得部は、Ｂｌｕｅｔｏｏｔｈ（登録商標）、Ｚｉｇｂｅｅ、またはＷｉＭａｘを通じて携帯端末の位置情報を取得してもよい。既存の無線通信方式を利用することで、より安価にナビゲーション装置を製造することができる。
本発明にかかるナビゲーション方法の代表的な構成は、ナビゲーション装置を搭載している車両の位置情報を取得し、ナビゲーション装置が記憶している地図データに基づいて地図を表示し、取得した位置情報に基づいて車両の位置を表示し、車両が任意の位置に停車してからの経過時間が所定時間以上であった場合に停車状態であると判断し、停車状態であると判断した場合、停車した位置の位置情報に基づいて、現在位置から所定範囲内に存在する訪問先候補の情報を示すエリアデータから、搭乗者の１または複数の訪問先候補を導出し、搭乗者の入力に応じて、１または複数の訪問先候補から搭乗者が訪問した訪問先を特定し、特定した訪問先のエリアデータに関連付けて、訪問したことを示す訪問情報を記憶させることを特徴とする。
本発明にかかるナビゲーションプログラムの代表的な構成は、車両に搭載されるナビゲーション装置のコンピュータに、ナビゲーション装置を搭載している車両の位置情報を取得するステップと、ナビゲーション装置が予め記憶している地図データに基づく地図と、車両の位置を表示部に表示させるステップと、車両が任意の位置に停車してからの経過時間が所定時間以上であった場合に停車状態であると判断するステップと、停車状態であると判断した場合に、停車した地点の位置情報に基づいて、現在位置から所定範囲内に存在する訪問先候補の情報を示すエリアデータから、搭乗者の１または複数の訪問先候補を導出するステップと、搭乗者の入力に応じて、１または複数の訪問先候補から搭乗者が訪問した訪問先を特定するステップと、特定した訪問先のエリアデータに関連付けて、訪問したことを示す訪問情報を記憶させるステップと、を実行させることを特徴とする。
上述したナビゲーション装置における技術的思想に対応する構成要素やその説明は、当該ナビゲーション方法およびナビゲーションプログラムにも適用可能である。